(57)【要約】    【課題】      移動局装置がソフトハンドオーバをする際に、クローズドループ送信ダイバーシチを適用する基地局装置と新たに通信を開始した直後において受信性能をさらに向上することができる移動局装置および受信方法を提供すること。    【解決手段】、判定部１１０は、新たに通信を開始した基地局装置のアンテナ間の位相差を考慮したフィードバック情報を送信してから、所定の時間が経過したか否かを判定する。判定の結果、所定のが経過していない場合には、判定部１１０は、新たに通信を開始した基地局装置に対応するフィンガを同相加算の対象から排除すると決定し、結果を同相加算部１１１へ出力する。一方、判定の結果、所定の時間が経過した場合には、判定部１１０はすべてのフィンガから出力される所望チャネルを同相加算すると決定して、結果を同相加算部１１１へ出力する。  【選択図】      図１
2007020107.tif 000002
【特許請求の範囲】
【請求項１】
第１の基地局装置および第２の基地局装置がそれぞれ有する２つのアンテナから同位相で送信される既知信号と、一方のアンテナのみ位相回転量が付加されて送信される情報信号とを受信する受信手段と、
受信された既知信号が伝搬路で受けた位相差を示すフィードバック情報を生成する生成手段と、
生成されたフィードバック情報を送信する送信手段と、
受信された情報信号を過去に送信されたフィードバック情報に基づいて検波する検波手段と、
前記第１の基地局装置と通信中に、前記第２の基地局装置と新たに通信を開始した場合、前記第２の基地局装置と通信を開始した時点から、前記第２の基地局装置から送信される既知信号を用いて生成されたフィードバック情報が最初に送信されて所定の時間が経過する時点まで、過去に送信されたフィードバック情報に基づいて検波された前記第２の基地局装置から送信されるフィードバック情報検波後の情報信号以外の情報信号を復号する復号手段と、
を有する移動局装置。
【請求項２】
前記復号手段は、
前記第１の基地局装置と通信中に、前記第２の基地局装置と新たに通信を開始した場合、前記第２の基地局装置と通信を開始した時点から、前記第２の基地局装置から送信される既知信号を用いて生成されたフィードバック情報が最初に送信されて所定の時間が経過する時点まで、検波された情報信号から前記フィードバック情報検波後の情報信号を排除して同相加算する加算部と、
同相加算された情報信号を復号する復号部と、
を含む請求項１記載の移動局装置。
【請求項３】
前記検波手段は、
前記第１の基地局装置と通信中に、前記第２の基地局装置と新たに通信を開始した場合、前記第２の基地局装置と通信を開始した時点から、前記第２の基地局装置から送信される既知信号を用いて生成されたフィードバック情報が最初に送信されて所定の時間が経過する時点まで、前記第２の基地局装置から送信される情報信号を用いて前記位相回転量を推定する推定部と、
受信された情報信号を推定された位相回転量を用いて検波する検波部と、を含み、
前記復号手段は、
前記フィードバック情報検波後の情報信号以外の情報信号と、推定された位相回転量を用いて検波された情報信号とを同相加算する加算部と、
同相加算された情報信号を復号する復号部と、
を含む請求項１記載の移動局装置。
【請求項４】
前記復号手段は、
前記第１の基地局装置と通信中に、前記第２の基地局装置と新たに通信を開始した場合、前記第２の基地局装置と通信を開始した時点から、前記第２の基地局装置から送信される既知信号を用いて生成されたフィードバック情報が最初に送信されて、前記第２の基地局装置によって前記フィードバック情報に基づいて一方のアンテナから送信される情報信号に位相回転量が付加される時点まで、前記フィードバック情報検波後の情報信号以外の情報信号を復号する請求項１記載の移動局装置。
【請求項５】
第１の基地局装置および第２の基地局装置がそれぞれ有する２つのアンテナから同位相で送信される既知信号と、一方のアンテナのみ位相回転量が付加されて送信される情報信号とを受信する工程と、
受信された既知信号が伝搬路で受けた位相差を示すフィードバック情報を生成する工程と、
生成されたフィードバック情報を送信する工程と、
受信された情報信号を過去に送信されたフィードバック情報に基づいて検波する工程と、
前記第１の基地局装置と通信中に、前記第２の基地局装置と新たに通信を開始した場合、前記第２の基地局装置と通信を開始した時点から、前記第２の基地局装置から送信される既知信号を用いて生成されたフィードバック情報が最初に送信されて所定の時間が経過する時点まで、過去に送信されたフィードバック情報に基づいて検波された前記第２の基地局装置から送信されるフィードバック情報検波後の情報信号以外の情報信号を復号する工程と、
を有する受信方法。
【発明の詳細な説明】
【技術分野】
【０００１】
本発明は、移動局装置および受信方法に関し、特に、クローズドループ送信ダイバーシチが適用される移動通信システムにおける移動局装置および受信方法に関する。
【背景技術】
【０００２】
一般に、移動通信システムにおいては、基地局装置から移動局装置へ直接届く直接波のほかに、地上の構造物等で反射し移動局装置へ遅れて届くマルチパスによる遅延波が発生し、このマルチパスによるフェージングが通信品質を低下させる要因となることが知られている。マルチパスフェージングの影響を低減することを目的として、ＣＤＭＡ（Code Division Multiple Access）通信方式では、レイク合成と呼ばれる技術が用いられている。レイク合成は、複数の遅延波をそれぞれ逆拡散した後、逆拡散後の受信信号を同相加算している。これにより、ある遅延波の受信強度がフェージングのため低下した場合においても、受信強度が大きい他の遅延波により補償することができるため、パスダイバーシチ利得が得られてフェージングの影響を軽減することができる。
【０００３】
さらに、フェージングによる受信特性の劣化に対して有効な方法として、基地局装置において複数のアンテナを用いて信号を送信することによりダイバーシチ利得を得る送信ダイバーシチという技術が用いられている。これにより、小型化の要求の強い移動局装置のアンテナを増加させることなくダイバーシチ利得を得ることができる。
【０００４】
現在、３ＧＰＰ(3rd Generation Partnership Project)において標準化されているＷ−ＣＤＭＡシステムでは、送信ダイバーシチの方法として、移動局装置から送信されるフィードバック情報を必要としないオープンループモードと、移動局装置から送信されるフィードバック情報に基づいて送信信号の位相等を制御するクローズドループモードの両者が採用されている。オープンループモードにはＳＴＴＤ(Space Time block coding based Transmit Diversity)およびＴＳＴＤ(Time Switched Transmit Diversity)があり、クローズドループモードには位相のみを制御するモード１(以下「ＣＬ１」と省略する)と位相および振幅の双方を制御するモード２(以下「ＣＬ２」と省略する)とがある。
【０００５】
ＣＬ１およびＣＬ２では、移動局装置は１スロット単位（０．６６７ｍｓ）で基地局装置へフィードバック情報を送信する。そして、基地局装置は、移動局装置から送信されるフィードバック情報に応じて、自装置が有する２つのアンテナ（アンテナ１、アンテナ２）から送信する信号の合成ベクトルが移動局装置の受信アンテナ端で最大になるように、アンテナ１側とアンテナ２側の所望チャネル(例えば、ＤＰＣＨ(Dedicated Physical Channel)やＨＳＰＤＳＣＨ(High Speed Physical Downlink Shared Channel))の位相等を制御する。以下、クローズドループモードの動作について説明する。
【０００６】
移動局装置は、まず、基地局装置の２つのアンテナから同位相で送信されるＣＰＩＣＨの逆拡散後の信号からアンテナ１とアンテナ２間の位相差を求め、この位相差に相当するフィードバック情報を生成する。例えば、ＣＬ１では、移動局装置は、アンテナ１とアンテナ２間の位相差に応じてアンテナ２のＩ成分（０またはπ）およびＱ成分（１／２πまたは３／２π）をフィードバック情報として選択する。そして、移動局装置は、スロット番号が偶数の時はＩ成分の選択結果を、スロット番号が奇数の時はＱ成分の選択結果をスロットに割り当てて基地局装置へ送信する。
【０００７】
そして、基地局装置は、移動局装置から送信されるフィードバック情報からアンテナ２側の位相のみを制御する。具体的には、アンテナ１の重み付け係数ｗ１は常に１として、フィードバック情報に割り当てられたＩ成分およびＱ成分の位相情報を平均化して、アンテナ２の重み付け係数ｗ２を決定する。つまり、重み付け係数（ｗ１、ｗ２）は、以下の式（１）のような値をとりうる。
【０００８】
【数１】
2007020107.tif 000003
基地局装置は、決定した重み付け係数ｗ２を用いてアンテナ２側の所望チャネルのみ位相を制御し、所望チャネルに位相回転量を付加する。
【０００９】
ところで、ＣＬ１では、移動局装置がＤＰＣＨを受信する際に、基地局装置によってアンテナ２側のＤＰＣＨに施された位相回転量の推定（アンテナベリフィケーション）を行っている。そして、移動局装置は、送信パワーが大きくＳＮＲ（Signal to Noise Ratio）が良好なＣＰＩＣＨ（Common Pilot Channel）から算出した位相推定値に、アンテナベリフィケーションにより推定した位相回転量を加算して得られるチャネル推定値を用いてＤＰＣＨの同期検波を行う。これにより、チャネル推定値の推定精度が向上し、受信性能を向上することができる。
【００１０】
アンテナベリフィケーションの方法の一つとして、ＳＢＶ（Simplified Beam former Verification）によるものが知られている。これは、移動局装置が、基地局装置のアンテナ２側のＤＰＣＨに対して施された位相回転量を推定する際、最も可能性の高い位相回転量を４つの位相回転量から選択するのではなく、基地局装置へ送信したフィードバック情報から位相回転量を２つの位相回転量に絞込み、その２つの位相回転量から可能性の高い方の位相回転量を選択する方法である（非特許文献１参照）。
【００１１】
ところで、移動局装置が複数のセルやセクタの境界付近の領域に位置し、移動局装置がハンドオーバによって基地局装置を切り替える場合には、複数の基地局装置から移動局装置へ同一のデータが送信されている。このとき、移動局装置は、複数の基地局装置から送信される同一のデータを同相加算することにより、通話が遮断することなくスムーズなハンドオーバ（ソフトハンドオーバ）をすることが可能となる。  
【非特許文献１】3GPP TS 25.214 V5.8.0（3rd Generation Partnership Project; Technical Specification Group Radio Access Network; Physical layer procedures(FDD)（Release 5）） Annex A
【発明の開示】
【発明が解決しようとする課題】
【００１２】
しかしながら、移動局装置がソフトハンドオーバによりクローズドループ送信ダイバーシチを適用している基地局装置と新たに通信を開始した直後においては、必ずしも上述したアンテナベリフィケーションによって適切に位相回転量を選択できるとは限らない。
【００１３】
移動局装置はソフトハンドオーバの最中、複数の基地局装置から送信されるＣＰＩＣＨを考慮してアンテナ間の位相差を算出する。すなわち、算出される位相差には、ソフトハンドオーバ前から通信している基地局装置とソフトハンドオーバにより新たに通信を開始した基地局装置のアンテナ間の位相差の双方が反映されている。そして、移動局装置は、算出された位相差に対応するフィードバック情報を生成し、生成されたフィードバック情報を通信中の基地局装置へ送信する。
【００１４】
このとき、移動局装置が、新たに通信を開始した基地局装置のＣＰＩＣＨを考慮して算出したフィードバック情報を基地局装置へ送信してから、このフィードバック情報に基づいて位相回転量が付加された所望チャネルを受信するまでには、タイムラグが発生する。上述したように、基地局装置は、アンテナ２側の位相回転量を決定するのに２スロット分のフィードバック情報を必要とする。また、基地局装置において、移動局装置から送信されるフィードバック情報を反映させる反映タイミングが１スロットである場合には、移動局装置から基地局装置へフィードバック情報が送信され、送信されたフィードバック情報に基づいて基地局装置から所望チャネルが移動局装置へ送信されるのは、３スロット経過後となる。以下、図５に示す基地局装置および移動局装置から出力されるフレームのタイミング図を用いて具体的に説明する。
【００１５】
同図において、ＵＬは上り回線（Ｕｐｌｉｎｋ）を示し、ＤＬは下り回線（Ｄｏｗｎｌｉｎｋ）を示す。そして、同図は、ＵＬ  ＤＰＣＣＨ（Dedicated Physical Control Channel）のスロットｉが、ＤＬ  ＤＰＣＨのスロットｉを受信してから約１０２４チップ後に送信された場合のタイミング図である。ここで、ｉはＵＬのスロット番号およびＤＬのスロット番号を示している。また、Ｆはフィードバック情報を、Ｐはパイロットを示している。
【００１６】
ＵＬ  ＤＰＣＣＨのフレームのうちＦ（ｉ−１）は、新たに通信を開始した基地局装置から送信されるＣＰＩＣＨが考慮されずに算出されたフィードバック情報を表し、Ｆ（ｉ）、Ｆ（ｉ＋１）、Ｆ（ｉ＋２）、およびＦ（ｉ＋３）は、新たに通信を開始した基地局装置から送信されるＣＰＩＣＨを考慮して算出されたフィードバック情報とする。基地局装置において、フィードバック情報が反映される反映タイミングが１スロットの場合、ＵＬのスロットｉのフィードバック情報Ｆ（ｉ）は、ＤＬ  ＤＰＣＨのスロット（ｉ＋２）のパイロットの先頭のタイミングで反映される。つまり、ＵＬのスロットｉのフィードバック情報Ｆ（ｉ）に基づいて、アンテナ２側のＤＬのＤＰＣＨに位相回転量が付加されるのはスロット（ｉ＋３）以降となる。
【００１７】
したがって、スロット（ｉ＋２）以前に受信した所望チャネルには、新たに通信を開始した基地局装置のアンテナ間の位相差が反映されていない。つまり、移動局装置は、新たに通信を開始した基地局装置のアンテナ間の位相差を考慮したフィードバック情報を送信してから、そのフィードバック情報に基づいて位相が制御された所望チャネルを受信するまでの間は、ＳＢＶを用いたアンテナベリフィケーションにより適切な位相回転量への絞り込みを行うことができず、結果として、チャネル推定値の精度が低下するという問題がある。この結果、チャネル推定値に含まれる誤差が増加し、誤差を多く含むチャネル推定値を用いて同期検波されたＤＰＣＨが同相加算されて、受信性能が劣化するおそれがある。
【００１８】
本発明はかかる点に鑑みてなされたものであり、移動局装置がソフトハンドオーバをする際に、クローズドループ送信ダイバーシチを適用する基地局装置と新たに通信を開始した直後において受信性能をさらに向上することができる移動局装置および受信方法を提供することを目的とする。
【課題を解決するための手段】
【００１９】
本発明に係る移動局装置は、第１の基地局装置および第２の基地局装置がそれぞれ有する２つのアンテナから同位相で送信される既知信号と、一方のアンテナのみ位相回転量が付加されて送信される情報信号とを受信する受信手段と、受信された既知信号が伝搬路で受けた位相差を示すフィードバック情報を生成する生成手段と、生成されたフィードバック情報を送信する送信手段と、受信された情報信号を過去に送信されたフィードバック情報に基づいて検波する検波手段と、前記第１の基地局装置と通信中に、前記第２の基地局装置と新たに通信を開始した場合、前記第２の基地局装置と通信を開始した時点から、前記第２の基地局装置から送信される既知信号を用いて生成されたフィードバック情報が最初に送信されて所定の時間が経過する時点まで、過去に送信されたフィードバック情報に基づいて検波された前記第２の基地局装置から送信されるフィードバック情報検波後の情報信号以外の情報信号を復号する復号手段と、を有する構成を採る。
【００２０】
本発明に係る受信方法は、第１の基地局装置および第２の基地局装置がそれぞれ有する２つのアンテナから同位相で送信される既知信号と、一方のアンテナのみ位相回転量が付加されて送信される情報信号とを受信する工程と、受信された既知信号が伝搬路で受けた位相差を示すフィードバック情報を生成する工程と、生成されたフィードバック情報を送信する工程と、受信された情報信号を過去に送信されたフィードバック情報に基づいて検波する工程と、前記第１の基地局装置と通信中に、前記第２の基地局装置と新たに通信を開始した場合、前記第２の基地局装置と通信を開始した時点から、前記第２の基地局装置から送信される既知信号を用いて生成されたフィードバック情報が最初に送信されて所定の時間が経過する時点まで、過去に送信されたフィードバック情報に基づいて検波された前記第２の基地局装置から送信されるフィードバック情報検波後の情報信号以外の情報信号を復号する工程と、を有するようにした。
【００２１】
これらによれば、第２の基地局装置と新たに通信を開始した時点から、所定の時間が経過する時点まで、過去に送信されたフィードバック情報に基づいて検波された第２の基地局装置から送信される情報信号以外の情報信号を復号するため、適切でない位相回転量を用いて検波された可能性の高い情報信号が復号結果に含まれないことになり、受信性能をさらに向上することができる。
【発明の効果】
【００２２】
本発明によれば、移動局装置がソフトハンドオーバをする際に、クローズドループ送信ダイバーシチを適用する基地局装置と新たに通信を開始した直後において受信性能をさらに向上することができる。
【発明を実施するための最良の形態】
【００２３】
本発明の骨子は、ソフトハンドオーバによってクローズドループ送信ダイバーシチを適用する基地局装置と新たに通信を開始した場合において、移動局装置が、新たに通信を開始した基地局装置のアンテナ間の位相差を考慮したフィードバック情報を送信してから所定の期間内、新たに通信を開始した基地局装置に対応するフィンガを除いて復号処理を行うことである。
【００２４】
以下、本発明の実施の形態について、図面を参照して詳細に説明する。
【００２５】
（実施の形態１）
図１は、本実施の形態１に係る移動局装置１００の構成を示すブロック図である。図１に示す移動局装置は、ＲＦ（Radio Frequency：無線周波数）受信部１０１、ＣＰＩＣＨ逆拡散部１０２−１〜１０２−３、ＤＰＣＨ逆拡散部１０３−１〜１０３−３、ＣＰＩＣＨ位相推定部１０４−１〜１０４−３、ＤＰＣＨ位相推定部１０５−１〜１０５−３、アンテナベリフィケーション部１０６−１〜１０６−３、チャネル推定値算出部１０７−１〜１０７−３、同期検波部１０８−１〜１０８−３、フィードバック情報生成部１０９、判定部１１０、同相加算部１１１、復号部１１２、およびＲＦ送信部１１３を有している。
【００２６】
なお、本実施の形態においては、移動局装置１００は、ＣＰＩＣＨ逆拡散部、ＤＰＣＨ逆拡散部、ＣＰＩＣＨ位相推定部、ＤＰＣＨ位相推定部、アンテナベリフィケーション部、チャネル推定値算出部、および同期検波部（以下ではこれらをまとめて「フィンガ」という）を３つずつ有しており、パス数が３パス以下の伝搬環境において対応可能な構成である。したがって、パス数が４パス以上の伝搬環境が想定される場合には、パス数に応じて上記フィンガを設ければ良い。
【００２７】
なお、移動局装置１００が複数のセルやセクタの境界付近に位置し、移動局装置１００がハンドオーバによって基地局装置を切り換える場合には、移動局装置１００へ複数の基地局装置から同一のデータが送信される。本実施の形態においては、これら複数の基地局装置から送信される同一のデータについても、上述したフィンガを経由した後、同相加算部１１１において同相加算されることを想定している。
【００２８】
ＲＦ受信部１０１は、２つのアンテナ（アンテナ１およびアンテナ２）を有する基地局装置から送信された信号をアンテナを介して受信し、受信した信号に対して無線受信処理（ダウンコンバート、Ａ／Ｄ変換等）を施し、得られた受信信号をＣＰＩＣＨ逆拡散部１０２−１〜１０２−３およびＤＰＣＨ逆拡散部１０３−１〜１０３−３へ出力する。
【００２９】
ＣＰＩＣＨ逆拡散部１０２−１〜１０２−３は、受信信号に対して所定の拡散コードで逆拡散を行い、逆拡散後のアンテナ１およびアンテナ２に対応するＣＰＩＣＨをそれぞれＣＰＩＣＨ位相推定部１０４−１〜１０４−３へ出力する。
【００３０】
ＤＰＣＨ逆拡散部１０３−１〜１０３−３は、受信信号に対して所定の拡散コードで逆拡散を行い、逆拡散後のアンテナ１およびアンテナ２に対応するＤＰＣＨをそれぞれＤＰＣＨ位相推定部１０５−１〜１０５−３および同期検波部１０８−１〜１０８−３へ出力する。
【００３１】
ＣＰＩＣＨ位相推定部１０４−１〜１０４−３は、逆拡散後のアンテナ１およびアンテナ２に対応するＣＰＩＣＨから、それぞれのＣＰＩＣＨの位相推定値を算出し、得られた位相推定値をアンテナベリフィケーション部１０６−１〜１０６−３およびチャネル推定値算出部１０７−１〜１０７−３へ出力するとともに、フィードバック情報生成部１０９へ出力する。
【００３２】
ＤＰＣＨ位相推定部１０５−１〜１０５−３は、逆拡散後のＤＰＣＨから位相推定値を算出する。具体的には、逆拡散後のＤＰＣＨに挿入されるパイロットシンボルを用いて基地局装置のアンテナ１およびアンテナ２から送信されたＤＰＣＨの位相推定値を算出し、得られた位相推定値をアンテナベリフィケーション部１０６−１〜１０６−３へ出力する。
【００３３】
アンテナベリフィケーション部１０６−１〜１０６−３は、ＣＰＩＣＨの位相推定値、ＤＰＣＨの位相推定値、およびフィードバック情報を用いて、ＳＢＶやＢＶ（Beam Former Verification）によるアンテナベリフィケーション処理を行い、アンテナ２のＤＰＣＨに施されている位相回転量を推定し、チャネル推定値算出部１０７−１〜１０７−３へそれぞれ出力する。
【００３４】
チャネル推定値算出部１０７−１〜１０７−３は、ＣＰＩＣＨの位相推定値およびアンテナベリフィケーションにより推定された位相回転量とを用いて、ＤＰＣＨの同期検波用のチャネル推定値を算出し、得られたチャネル推定値を同期検波部１０８−１〜１０８−３へ出力する。
【００３５】
同期検波部１０８−１〜１０８−３は、チャネル推定値を用いて逆拡散後のＤＰＣＨに対し同期検波処理を施し、同期検波処理後のＤＰＣＨを同相加算部１１１へ出力する。
【００３６】
フィードバック情報生成部１０９は、逆拡散後のＣＰＩＣＨの位相推定値から２つのアンテナ間の位相差に相当するフィードバック情報を生成し、得られたフィードバック情報をＲＦ送信部１１３へ出力するとともに、アンテナベリフィケーション部１０６−１〜１０６−３へ出力する。さらに、フィードバック情報生成部１０９は、新たに通信を開始した基地局装置から送信されるＣＰＩＣＨの位相推定値に基づいてフィードバック情報を生成した場合には、その旨を判定部１１０へ出力する。
【００３７】
判定部１１０は、それぞれのフィンガから出力される所望チャネルを同相加算部１１１において同相加算の対象とするか否かについて決定し、決定した結果を同相加算部１１１へ出力する。以下、具体的に、判定部１１０の動作について説明する。
【００３８】
判定部１１０は、まず、ソフトハンドオーバにより新たにクローズドループモード送信ダイバーシチを適用する基地局装置と新たに通信を開始したか否かについて、図示せぬ上位レイヤから出力される制御情報に基づき判定する。判定の結果、基地局装置と新たに通信を開始していない場合には、すべてのフィンガから出力される所望チャネルを同相加算すると決定して、結果を同相加算部１１１へ出力する。
【００３９】
一方、判定の結果、基地局装置と新たに通信を開始した場合には、判定部１１０は、さらに、新たに通信を開始した基地局装置から送信されるＣＰＩＣＨに基づいて生成されたフィードバック情報が送信されてから、所定の時間が経過したか否かを判定する。
【００４０】
例えば、ＣＬ１では、移動局装置は、フィードバック情報生成部１０９において受信したＣＰＩＣＨのアンテナ間の位相差からＩ成分およびＱ成分をフィードバック情報として選択し、選択したＩ成分およびＱ成分をスロットごとに交互に割り当て基地局装置へ送信している。したがって、基地局装置は、アンテナ２のＤＰＣＨの位相を制御するために２スロット分のフィードバック情報を必要とする。このとき、上述したように反映タイミングが１スロットの場合には、判定部１１０は、新たに通信を開始した基地局装置のアンテナ間の位相差を考慮したフィードバック情報を送信してから、３スロットが経過したか否かを判定する。判定の結果、３スロットが経過していない場合には、判定部１１０は、新たに通信を開始した基地局装置に対応するフィンガを同相加算の対象から排除すると決定し、結果を同相加算部１１１へ出力する。
【００４１】
上述したように、ＣＬ１の場合のようにフィードバック情報として２スロットが必要で、これらフィードバック情報に基づいて位相回転量が反映されるタイミングが１スロットの場合には、フィードバック情報を送信してから３スロット経過後でないと、移動局装置は、ＳＢＶを用いて適切な位相回転量の絞り込みを行うことができない。すなわち、移動局装置は、新たに通信を開始した基地局装置のアンテナ間の位相差を考慮したフィードバック情報を送信してから、そのフィードバック情報に基づいて位相が制御された所望チャネルを受信するまでの間は、アンテナベリフィケーション部１０６−１〜１０６−３においてＳＢＶによるアンテナベリフィケーション処理を行っても、アンテナ２のＤＰＣＨに施されている位相回転量を正確に推定することができない。したがって、同相加算部１１１が、新たに通信を開始した基地局装置のアンテナ間の位相差を考慮したフィードバック情報を送信してから３スロットが経過するまでの間、新たに通信を開始した基地局装置に対応するフィンガから出力されるＤＰＣＨを同相加算の対象から除外することにより、適切でない位相回転量を用いて同期検波が施されたＤＰＣＨが同相加算の対象から除かれるため、受信性能をさらに向上することができる。
【００４２】
一方、判定の結果、３スロットが経過した場合には、判定部１１０はすべてのフィンガから出力される所望チャネルを同相加算すると決定して、結果を同相加算部１１１へ出力する。
【００４３】
同相加算部１１１は、上述したように、判定部１１０から出力される結果に基づいて、それぞれのフィンガから出力されるＤＰＣＨを同相加算する。これにより、同相加算部１１１は、適切でない位相回転量を用いて同期検波されたＤＰＣＨを除いて同相加算するため、受信性能をさらに向上することができる。
【００４４】
復号部１１２は、同相加算後の信号に対し誤り訂正復号等を施して受信データを取得し、得られた受信データを後工程へ出力する。
【００４５】
ＲＦ送信部１１３は、フィードバック情報等に対し所定の送信無線処理（変調、Ｄ／Ａ変換、アップコンバートなど）を施して基地局装置へ送信する。
【００４６】
次いで、上記のように構成された移動局装置１００による無線受信方法について説明する。
【００４７】
基地局装置より送信された信号はアンテナを介してＲＦ受信部１０１によって受信される。受信された信号は、ＲＦ受信部１０１によって所定の無線受信処理（ダウンコンバート、Ａ／Ｄ変換など）が施された後、無線受信処理後の受信信号はそれぞれの伝搬路ごとにＣＰＩＣＨ逆拡散部１０２−１〜１０２−３およびＤＰＣＨ逆拡散部１０３−１〜１０３−３へ出力される。そして、受信信号は所定の拡散コードでそれぞれ逆拡散されて、逆拡散後のＣＰＩＣＨはＣＰＩＣＨ位相推定部１０４−１〜１０４−３へ出力される。また、逆拡散後のＤＰＣＨは、ＤＰＣＨ位相推定部１０５−１〜１０５−３へ出力されるとともに、同期検波部１０８−１〜１０８−３へ出力される。
【００４８】
そして、ＣＰＩＣＨ位相推定部１０４−１〜１０４−３によって、逆拡散後のＣＰＩＣＨから、基地局装置のアンテナ１およびアンテナ２から同位相で送信されたＣＰＩＣＨの位相推定値が算出され、得られたＣＰＩＣＨの位相推定値はアンテナベリフィケーション部１０６−１〜１０６−３およびチャネル推定値算出部１０７−１〜１０７−３へ出力されるとともに、フィードバック情報生成部１０９へ出力される。
【００４９】
一方、ＤＰＣＨ位相推定部１０５−１〜１０５−３によって、逆拡散後のＤＰＣＨから基地局装置のアンテナ１およびアンテナ２から送信されたＤＰＣＨの位相推定値が算出される。ＤＰＣＨの位相推定値の算出には、逆拡散後のＤＰＣＨに挿入されるパイロットシンボルが用いられる。得られたＤＰＣＨの位相推定値はアンテナベリフィケーション部１０６−１〜１０６−３へ出力される。
【００５０】
そして、アンテナベリフィケーション部１０６−１〜１０６−３によって、ＣＰＩＣＨの位相推定値およびＤＰＣＨの位相推定値とが用いられて、ＳＢＶ等によるアンテナベリフィケーション処理が施され、アンテナ２側のＤＰＣＨに施されている位相回転量が推定される。推定された位相回転量は、チャネル推定値算出部１０７−１〜１０７−３へそれぞれ出力される。
【００５１】
そして、チャネル推定値算出部１０７−１〜１０７−３によって、ＣＰＩＣＨの位相推定値およびアンテナベリフィケーションにより推定された位相回転量とが用いられて、ＤＰＣＨの同期検波用のチャネル推定値が算出され、得られたチャネル推定値は同期検波部１０８−１〜１０８−３へ出力される。
【００５２】
そして、同期検波部１０８−１〜１０８−３によって、それぞれのチャネル推定値が用いられて逆拡散後のＤＰＣＨに対して同期検波処理が施され、同期検波処理後のＤＰＣＨが同相加算部１１１へ出力される。
【００５３】
同相加算部１１１では、判定部１１０における結果に基づいて、同期検波部１０８−１〜１０８−３から出力される同期検波後のＤＰＣＨが同相加算される。以下、判定部１１０および同相加算部１１１による無線受信処理の動作について、図２に示すフロー図を参照しながら説明する。
【００５４】
まず、判定部１１０において、ソフトハンドオーバによりクローズドループモード送信ダイバーシチを適用する基地局装置と新たに通信を開始したか否かの判定が行われる（ＳＴ１０）。ＳＴ１０の判定の結果、基地局装置と新たに通信を開始していない場合には、同相加算部１１１によって、すべてのフィンガから出力される所望チャネルが同相加算される（ＳＴ１１）。
【００５５】
一方、ＳＴ１０の判定の結果、基地局装置と新たに通信を開始した場合には、判定部１１０によって、さらに、新たに通信を開始した基地局装置から送信されるＣＰＩＣＨを考慮してフィードバック情報が生成されたか否かが判定される（ＳＴ１２）。
【００５６】
そして、ＳＴ１２の判定の結果、新たに通信を開始した基地局装置から送信されるＣＰＩＣＨが考慮されていない場合には、同相加算部１１１によって、新たに通信を開始した基地局装置に対するフィンガが除かれて、所望チャネルが同相加算される（ＳＴ１４）。
【００５７】
一方、ＳＴ１２の判定の結果、新たに通信を開始した基地局装置から送信されるＣＰＩＣＨが考慮してフィードバック情報が生成された場合には、さらに、判定部１１０によって、新たに通信を開始した基地局装置から送信されるＣＰＩＣＨに基づいて生成されたフィードバック情報が送信されてから所定の時間が経過したか否かが判定される（ＳＴ１３）。例えば、ＣＬ１の場合に、反映タイミングが１スロットの場合、判定部１１０部によって、新たに通信を開始した基地局装置から送信されるＣＰＩＣＨに基づいて生成されたフィードバック情報が送信されてから３スロットが経過したか否かが判定される。
【００５８】
そして、ＳＴ１３の判定の結果、所定の時間が経過していた場合には、同相加算部１１１によって、すべてのフィンガから出力される所望チャネルが同相加算される（ＳＴ１１）。
【００５９】
一方、ＳＴ１３の判定の結果、所定の時間が経過していない場合には、同相加算部１１１によって、新たに通信を開始した基地局装置に対応するフィンガが除かれて、所望チャネルが同相加算される（ＳＴ１４）。
【００６０】
これにより、新たに通信を開始した基地局装置のアンテナ間の位相差を考慮したフィードバック情報を移動局装置が送信してから所定の期間内、適切でない位相回転量を用いて同期検波が施されたＤＰＣＨが同相加算の対象から除かれるため、受信性能をさらに向上することができる。
【００６１】
同相加算後の信号は復号部１１２へ出力され、誤り復号等の処理が施されて、得られた受信データは後工程へ出力される。
【００６２】
以上のように、本実施の形態に係る移動局装置によれば、ソフトハンドオーバによってクローズドループモード送信ダイバーシチを適用する基地局装置が新たに通信を開始した場合において、新たに通信を開始した基地局装置のアンテナ間の位相差を考慮したフィードバック情報を移動局装置が送信してから所定期間内、新たに通信を開始した基地局装置に対応するフィンガを除いて同相加算を行う。これにより、適切でない位相回転量を用いて同期検波された可能性の高い所望チャネルが同相加算されず、受信性能をさらに向上することができる。
【００６３】
（実施の形態２）
本発明の実施の形態２の特徴は、ソフトハンドオーバによってクローズドループ送信ダイバーシチを適用する基地局装置と新たに通信する場合において、新たに通信を開始した基地局装置のアンテナ間の位相差を考慮したフィードバック情報を移動局装置が送信してから所定の期間内、アンテナベリフィケーションによって推定される位相回転量から算出されたチャネル推定値を用いずに、所望チャネルに含まれるパイロットシンボルから算出されたチャネル推定値を所望チャネルの同期検波に用いる点である。
【００６４】
図３は、本発明の実施の形態２に係る移動局装置１００の構成を示すブロック図である。なお、図３の本実施の形態の移動局装置において、図１と共通する構成部分には、図１と同一の符号を付して説明を省略する。図３は、図１に対して、ＤＰＣＨ位相推定部１０５−１〜１０５−３、チャネル推定値算出部１０７−１〜１０７−３、判定部１１０、および同相加算部１１１に代えて、ＤＰＣＨ位相推定部２０１−１〜２０１−３、判定部２０２、チャネル推定値算出部２０３−１〜２０３−３、および同相加算部２０４を有した構成を採る。
【００６５】
ＤＰＣＨ位相推定部２０１−１〜２０１−３は、逆拡散後のＤＰＣＨから位相推定値を算出する。具体的には、逆拡散後のＤＰＣＨに挿入されるパイロットシンボルを用いて基地局装置のアンテナ１およびアンテナ２から送信されたＤＰＣＨの位相推定値を算出し、得られた位相推定値をアンテナベリフィケーション部１０６−１〜１０６−３およびチャネル推定値算出部２０３−１〜２０３−３へ出力する。
【００６６】
判定部２０２は、チャネル推定値算出部２０３−１〜２０３−３においてＤＰＣＨの同期検波用のチャネル推定値を算出する方法について決定し、結果をチャネル推定値算出部２０３−１〜２０３−３へ出力する。以下、具体的に、判定部２０２の動作について説明する。
【００６７】
判定部２０２は、まず、ソフトハンドオーバにより新たにクローズドループモード送信ダイバーシチを適用する基地局装置と新たに通信を開始したか否かについて、図示せぬ上位レイヤから出力される制御情報に基づき判定する。判定の結果、基地局装置と新たに通信を開始していない場合には、ＣＰＩＣＨの位相推定値およびアンテナベリフィケーションにより推定された位相回転量とをそれぞれ用いて、チャネル推定値を算出すると決定して、結果をチャネル推定値算出部２０３−１〜２０３−３へ出力する。
【００６８】
一方、判定の結果、新たな基地局装置と通信を開始した場合には、判定部２０２は、さらに、新たに通信を開始した基地局装置の２つのアンテナから同位相で送信されるＣＰＩＣＨの位相差を考慮して生成されたフィードバック情報が送信されてから、所定の時間が経過したか否かを判定する。
【００６９】
例えば、ＣＬ１では、移動局装置は、フィードバック情報生成部１０９において受信したＣＰＩＣＨのアンテナ間の位相差からＩ成分およびＱ成分をフィードバック情報として選択し、選択したＩ成分およびＱ成分をスロットごとに交互に割り当て基地局装置へ送信している。したがって、基地局装置は、アンテナ２のＤＰＣＨの位相を制御するために２スロット分のフィードバック情報を必要とする。このとき、上述したように反映タイミングが１スロットの場合には、判定部２０２は、新たに通信を開始した基地局装置のアンテナ間の位相差を考慮したフィードバック情報を送信してから、３スロットが経過したか否かを判定する。判定の結果、３スロットが経過していない場合には、判定部２０２は、新たに通信を開始した基地局装置に対するチャネル推定値は、逆拡散後のＤＰＣＨに含まれるパイロットシンボルから算出したチャネル推定値から算出すると決定し、すでに通信を開始している基地局装置に対するチャネル推定値は、ＣＰＩＣＨの位相推定値およびアンテナベリフィケーションにより推定された位相回転量から算出すると決定して、結果をチャネル推定値算出部２０３−１〜２０３−３へ出力する。
【００７０】
上述したように、ＣＬ１の場合のようにフィードバック情報として２スロットが必要で、これらフィードバック情報に基づいて位相回転量が反映される反映タイミングが１スロットの場合には、フィードバック情報を送信してから３スロット経過後でないと、移動局装置は、ＳＢＶを用いて適切な位相回転量への絞り込みを行うことができない。すなわち、移動局装置は、新たに通信を開始した基地局装置のアンテナ間の位相差を考慮したフィードバック情報を送信してから、そのフィードバック情報に基づいて位相が制御された所望チャネルを受信するまでの間は、アンテナベリフィケーション部１０６−１〜１０６−３においてＳＢＶによるアンテナベリフィケーション処理を行っても、アンテナ２のＤＰＣＨに施されている位相回転量を正確に推定することができない。したがって、新たに通信を開始した基地局装置に対するチャネル推定値の算出にあたり、チャネル推定値算出部２０３−１〜２０３−３が、新たに通信を開始した基地局装置のアンテナ間の位相差を考慮したフィードバック情報を送信してから３スロットが経過するまでの間、アンテナベリフィケーション部１０６−１〜１０６−３によって算出された適切でない位相回転量に替えて、逆拡散後のＤＰＣＨに含まれるパイロットシンボルから算出したチャネル推定値を、チャネル推定値として算出することにより、受信性能をさらに向上することができる。
【００７１】
一方、判定の結果、３スロットが経過した場合には、判定部２０２は、ＣＰＩＣＨの位相推定値およびアンテナベリフィケーションにより推定された位相回転量とを用いて、チャネル推定値を算出すると決定して、結果をチャネル推定値算出部２０３−１〜２０３−３へ出力する。
【００７２】
また、判定部２０２における決定の結果、基地局装置と新たに通信を開始していない場合も同様に、判定部２０２は、ＣＰＩＣＨの位相推定値およびアンテナベリフィケーションにより推定された位相回転量とを用いて、チャネル推定値を算出すると決定して、結果をチャネル推定値算出部２０３−１〜２０３−３へ出力する。
【００７３】
チャネル推定値算出部２０３−１〜２０３−３は、判定部２０２から出力される結果に基づいて、チャネル推定値を算出する。
【００７４】
同相加算部２０４は、すべてのフィンガから出力される所望チャネル、つまり、同期検波部１０８−１〜１０８−３から出力される同期検波後のＤＰＣＨを同相加算し、同相加算された信号を復号部１１２へ出力する。
【００７５】
次いで、上記のように構成された移動局装置１００による無線受信方法について説明する。
【００７６】
基地局装置より送信された信号はアンテナを介してＲＦ受信部１０１によって受信される。受信された信号は、ＲＦ受信部１０１によって所定の無線受信処理（ダウンコンバート、Ａ／Ｄ変換など）が施された後、無線受信処理後の受信信号はそれぞれの伝搬路ごとにＣＰＩＣＨ逆拡散部１０２−１〜１０２−３およびＤＰＣＨ逆拡散部１０３−１〜１０３−３へ出力される。そして、受信信号は所定の拡散コードでそれぞれ逆拡散されて、逆拡散後のＣＰＩＣＨはＣＰＩＣＨ位相推定部１０４−１〜１０４−３へ出力される。また、ＤＰＣＨは、ＤＰＣＨ位相推定部２０１−１〜２０１−３および同期検波部１０８−１〜１０８−３へ出力される。
【００７７】
そして、ＣＰＩＣＨ位相推定部１０４−１〜１０４−３によって、逆拡散後のＣＰＩＣＨから、基地局装置のアンテナ１およびアンテナ２から同位相で送信されたＣＰＩＣＨの位相推定値が算出され、得られたＣＰＩＣＨの位相推定値はアンテナベリフィケーション部１０６−１〜１０６−３およびチャネル推定値算出部２０３−１〜２０３−３へ出力されるとともに、フィードバック情報生成部１０９へ出力される。
【００７８】
一方、ＤＰＣＨ位相推定部２０１−１〜２０１−３によって、逆拡散後のＤＰＣＨから位相推定値が算出される。具体的には、逆拡散後のＤＰＣＨに挿入されるパイロットシンボルを用いて基地局装置のアンテナ１およびアンテナ２から送信されたＤＰＣＨの位相推定値が算出され、得られたＤＰＣＨの位相推定値はアンテナベリフィケーション部１０６−１〜１０６−３およびチャネル推定値算出部２０３−１〜２０３−３へ出力される。
【００７９】
また、実施の形態１と同様に、アンテナベリフィケーション部１０６−１〜１０６−３によって、ＣＰＩＣＨの位相推定値およびＤＰＣＨの位相推定値とが用いられて、ＳＢＶ等によるアンテナベリフィケーション処理が施され、アンテナ２のＤＰＣＨに施されている位相回転量が推定される。推定された位相回転量は、チャネル推定値算出部２０３−１〜２０３−３へそれぞれ出力される。
【００８０】
そして、チャネル推定値算出部２０３−１〜２０３−３では、判定部２０２から出力される結果に基づいて、ＤＰＣＨの同期検波用のチャネル推定値が算出される。以下、判定部２０２およびチャネル推定値算出部２０３−１〜２０３−３によるチャネル推定値算出方法について、図４のフロー図を参照しながら説明する。なお、図４において、図１と共通するステップについては、図２と同一の符号を付している。
【００８１】
まず、判定部２０２において、ソフトハンドオーバによりクローズドループモード送信ダイバーシチを適用する基地局装置と新たに通信を開始したか否かの判定が行われる（ＳＴ１０）。ＳＴ１０の判定の結果、新たに通信を開始していない場合には、チャネル推定値算出部２０３−１〜２０３−３によって、以下の式（２）からチャネル推定値Ｆverificationが算出される（ＳＴ２０）。
【００８２】
【数２】
2007020107.tif 000004
ここで、ＦCPICH1、ＦCPICH2はＣＰＩＣＨ位相推定部１０４−１〜１０４−３において算出された基地局装置のアンテナ１およびアンテナ２から送信されたＣＰＩＣＨの位相推定値であり、Ｗverificationは、アンテナベリフィケーション部１０６−１〜１０６−３によって算出された位相回転量である。
【００８３】
一方、ＳＴ１０の判定の結果、基地局装置と新たに通信を開始した場合には、判定部１１０によって、さらに、新たに通信を開始した基地局装置の２つのアンテナから同位相で送信されるＣＰＩＣＨを考慮してフィードバック情報が生成されたか否かが判定される（ＳＴ１２）。
【００８４】
一方、ＳＴ１２の判定の結果、新たに通信を開始した基地局装置から送信されるＣＰＩＣＨを考慮してフィードバック情報が生成された場合には、判定部２０２によって、さらに、新たに通信を開始した基地局装置から送信されるＣＰＩＣＨに基づいて生成されたフィードバック情報が送信されてから所定の時間が経過したか否かが判定される（ＳＴ１３）。例えば、ＣＬ１の場合に、反映タイミングが１スロットの場合、判定部２０２によって、新たに通信を開始した基地局装置から送信されるＣＰＩＣＨに基づいて生成されたフィードバック情報が送信されてから３スロットが経過したか否かが判定される。
【００８５】
そして、ＳＴ１３の判定の結果、所定の時間が経過していた場合には、チャネル推定値算出部２０３−１〜２０３−３によって、上式（２）が用いられてチャネル推定値Ｆverificationが算出される（ＳＴ２０）。
【００８６】
一方、ＳＴ１３の判定の結果、所定の時間が経過していない場合には、さらに、新たに通信を開始した基地局装置に対するチャネル推定値が算出されるか否かが判定される（ＳＴ２１）。そして、ＳＴ２１の判定の結果、すでに通信を開始している基地局装置に対するチャネル推定値が算出されない場合には、チャネル推定値算出部２０３−１〜２０３−３によって、上式（２）が用いられてチャネル推定値Ｆverificationが算出される（ＳＴ２０）。
【００８７】
一方、ＳＴ２１の判定の結果、新たに通信を開始した基地局装置に対するチャネル推定値が算出される場合には、チャネル推定値算出部２０３−１〜２０３−３によって、以下の式（３）が用いられて位相推定値ＦDPCHが算出される（ＳＴ２２）。
【００８８】
【数３】
2007020107.tif 000005
ここで、ＦDPCH1、ＦDPCH2はＤＰＣＨ位相推定部２０１−１〜２０１−３において算出された基地局装置のアンテナ１およびアンテナ２から送信されたＤＰＣＨの位相推定値である。
【００８９】
これにより、新たに通信を開始した基地局装置のアンテナ間の位相差を考慮したフィードバック情報を移動局装置が送信してから所定の期間内、アンテナベリフィケーション部１０６−１〜１０６−３によって算出された適切でない位相回転量を用いずにチャネル推定値が算出されるため、受信性能をさらに向上させることができる。
【００９０】
チャネル推定値算出部２０３−１〜２０３−３によって算出されたチャネル推定値は、同期検波部１０８−１〜１０８−３へ出力される。
【００９１】
そして、同期検波部１０８−１〜１０８−３によって、それぞれのチャネル推定値が用いられて逆拡散後のＤＰＣＨに対して同期検波処理が施され、同期検波処理後のＤＰＣＨが同相加算部２０４へ出力される。
【００９２】
そして、同相加算部２０４によって、すべてのフィンガから出力される所望チャネルが同相加算されて、同相加算後の受信信号は復号部１１２へ出力され、誤り訂正等の復号処理が施されて、得られた受信データは後工程へ出力される。
【００９３】
以上のように、本実施の形態に係る移動局装置によれば、ソフトハンドオーバによってクローズドループモード送信ダイバーシチを適用する基地局装置と新たに通信を開始した場合において、新たに通信を開始した基地局装置のアンテナ間の位相差を考慮したフィードバック情報を移動局装置が送信してから所定期間内は、所望チャネルの位相推定値から算出されたチャネル推定値を用いて所望チャネルの同期検波を行う。これにより、適切でない位相回転量から算出されるチャネル推定値を用いずに所望チャネルを同期検波するため、受信性能をさらに向上することができる。
【００９４】
本発明の第１の態様に係る移動局装置は、第１の基地局装置および第２の基地局装置がそれぞれ有する２つのアンテナから同位相で送信される既知信号と、一方のアンテナのみ位相回転量が付加されて送信される情報信号とを受信する受信手段と、受信された既知信号が伝搬路で受けた位相差を示すフィードバック情報を生成する生成手段と、生成されたフィードバック情報を送信する送信手段と、受信された情報信号を過去に送信されたフィードバック情報に基づいて検波する検波手段と、前記第１の基地局装置と通信中に、前記第２の基地局装置と新たに通信を開始した場合、前記第２の基地局装置と通信を開始した時点から、前記第２の基地局装置から送信される既知信号を用いて生成されたフィードバック情報が最初に送信されて所定の時間が経過する時点まで、過去に送信されたフィードバック情報に基づいて検波された前記第２の基地局装置から送信されるフィードバック情報検波後の情報信号以外の情報信号を復号する復号手段と、を有する構成を採る。
【００９５】
この構成によれば、第２の基地局装置と新たに通信を開始した時点から、所定の時間が経過する時点まで、過去に送信されたフィードバック情報に基づいて検波された第２の基地局装置から送信される情報信号以外の情報信号を復号するため、適切でない位相回転量を用いて検波された可能性の高い情報信号が復号結果に含まれないことになり、受信性能をさらに向上することができる。
【００９６】
本発明の第２の態様に係る移動局装置は、上記第１の態様において、前記復号手段は、前記第１の基地局装置と通信中に、前記第２の基地局装置と新たに通信を開始した場合、前記第２の基地局装置と通信を開始した時点から、前記第２の基地局装置から送信される既知信号を用いて生成されたフィードバック情報が最初に送信されて所定の時間が経過する時点まで、検波された情報信号から前記フィードバック情報検波後の情報信号を排除して同相加算する加算部と、同相加算された情報信号を復号する復号部と、を含む構成を採る。
【００９７】
この構成によれば、第２の基地局装置と新たに通信を開始した時点から、所定の時間が経過するまで、過去に送信されたフィードバック情報に基づいて検波された第２の基地局装置から送信される情報信号を排除して同相加算して復号するため、適切でない位相回転量を用いて検波された可能性の高い情報信号が同相加算されないことになり、受信性能をさらに向上することができる。
【００９８】
本発明の第３の態様に係る移動局装置は、上記第１の態様において、前記検波手段は、前記第１の基地局装置と通信中に、前記第２の基地局装置と新たに通信を開始した場合、前記第２の基地局装置と通信を開始した時点から、前記第２の基地局装置から送信される既知信号を用いて生成されたフィードバック情報が最初に送信されて所定の時間が経過する時点まで、前記第２の基地局装置から送信される情報信号を用いて前記位相回転量を推定する推定部と、受信された情報信号を推定された位相回転量を用いて検波する検波部と、を含み、前記復号手段は、前記フィードバック情報検波後の情報信号以外の情報信号と、推定された位相回転量を用いて検波された情報信号とを同相加算する加算部と、同相加算された情報信号を復号する復号部と、を含む構成を採る。
【００９９】
この構成によれば、第２の基地局装置と新たに通信を開始した時点から、所定の時間が経過するまで、第２の基地局装置から送信される情報信号を用いて位相回転量を推定し、推定された位相回転量を用いて第２の基地局装置から送信される情報信号を同相加算し、復号するため、適切でない位相回転量に替えて、受信した情報信号から推定される位相回転量を用いて検波された情報信号が同相加算されることになり、受信性能をさらに向上させることができる。
【０１００】
本発明の第４の態様に係る移動局装置は、上記第１の態様において、前記復号手段は、前記第１の基地局装置と通信中に、前記第２の基地局装置と新たに通信を開始した場合、前記第２の基地局装置と通信を開始した時点から、前記第２の基地局装置から送信される既知信号を用いて生成されたフィードバック情報が最初に送信されて、前記第２の基地局装置によって前記フィードバック情報に基づいて一方のアンテナから送信される情報信号に位相回転量が付加される時点まで、前記フィードバック情報検波後の情報信号以外の情報信号を復号する構成を採る。
【０１０１】
この構成によれば、第２の基地局装置と通信を開始した時点から、第２の基地局装置から送信される既知信号を用いて生成されたフィードバック情報が最初に送信されて、第２の基地局装置によってフィードバック情報に基づいて一方のアンテナから送信される情報信号に位相回転量が付加される時点まで、過去に送信されたフィードバック情報に基づいて検波された第２の基地局装置から送信されるフィードバック情報検波後の情報信号以外の情報信号を復号するため、適切でない位相回転量を用いて検波された可能性の高い情報信号のみを復号結果に含めないことができる。
【０１０２】
本発明の第５の態様に係る受信方法は、第１の基地局装置および第２の基地局装置がそれぞれ有する２つのアンテナから同位相で送信される既知信号と、一方のアンテナのみ位相回転量が付加されて送信される情報信号とを受信する工程と、受信された既知信号が伝搬路で受けた位相差を示すフィードバック情報を生成する工程と、生成されたフィードバック情報を送信する工程と、受信された情報信号を過去に送信されたフィードバック情報に基づいて検波する工程と、前記第１の基地局装置と通信中に、前記第２の基地局装置と新たに通信を開始した場合、前記第２の基地局装置と通信を開始した時点から、前記第２の基地局装置から送信される既知信号を用いて生成されたフィードバック情報が最初に送信されて所定の時間が経過する時点まで、過去に送信されたフィードバック情報に基づいて検波された前記第２の基地局装置から送信されるフィードバック情報検波後の情報信号以外の情報信号を復号する工程と、を有するようにした。
【０１０３】
この方法によれば、第２の基地局装置と新たに通信を開始した時点から、所定の時間が経過するまで、過去に送信されたフィードバック情報に基づいて検波された第２の基地局装置から送信される情報信号以外の情報信号を復号するため、適切でない位相回転量を用いて検波された可能性の高い情報信号が復号結果に含まれないことになり、受信性能をさらに向上することができる。
【産業上の利用可能性】
【０１０４】
本発明は、Ｗ−ＣＤＭＡ方式等のクローズドループモードダイバーシチが適用される移動体通信システムにおいて使用される移動局装置等に好適である。
【図面の簡単な説明】
【０１０５】
【図１】本発明の実施の形態１に係る移動局装置の構成を示すブロック図
【図２】本発明の実施の形態１に係る無線受信方法の手順を示すフロー図
【図３】本発明の実施の形態２に係る移動局装置の構成を示すブロック図
【図４】本発明の実施の形態２に係る無線受信方法の手順を示すフロー図
【図５】ＤＰＣＨとＤＰＣＣＨのタイミング図の一例を示す図
【符号の説明】
【０１０６】
１０１  ＲＦ受信部
１０２−１〜１０２−３  ＣＰＩＣＨ逆拡散部
１０３−１〜１０３−３  ＤＰＣＨ逆拡散部
１０４−１〜１０４−３  ＣＰＩＣＨ位相推定部
１０５−１〜１０５−３、２０１−１〜２０１−３  ＤＰＣＨ位相推定部
１０６−１〜１０６−３  アンテナベリフィケーション部
１０７−１〜１０７−３、２０３−１〜２０３−３  チャネル推定値算出部
１０８−１〜１０８−３  同期検波部
１０９  フィードバック情報生成部
１１０、２０２  判定部
１１１、２０４  同相加算部
１１２  復号部
１１３  ＲＦ送信部
【図１】
2007020107.tif 000006
【図２】
2007020107.tif 000007
【図３】
2007020107.tif 000008
【図４】
2007020107.tif 000009
【図５】
2007020107.tif 000010